(57)【要約】      （修正有）【課題】改良された回転する医療用工具を駆動するための医療用ハンドピースに関する。【解決手段】ハンドピース１００の前方の端部領域内に回転可能に軸承された、工具と結合可能な駆動軸１０５と、駆動軸１０５上に相対回動不能に配置されたタービンホィール１１０とを有し、タービンホィール１１０が、端部領域内に形成されたタービンチャンバ内に配置され、入口開口部において、タービンチャンバ内へタービンホィール１１０を駆動するための流れる圧力手段用の供給導管が連通し、出口開口部１２４においてタービンチャンバから排出導管が延びている歯科医療用のタービンハンドピース１００に関し、タービンチャンバ１２０の壁内に、圧力手段のための少なくとも１つの横接続通路１６０が形成され、横接続通路１６０がタービンチャンバ１２０の軸から遠い端縁領域をタービンチャンバ１２０の、駆動軸１０５に対して軸に近い領域と接続する。【選択図】図３
2014239990.tif 000002
【特許請求の範囲】
【請求項１】
ハンドピース（１００）の前方の端部領域内に回転可能に軸承された、工具と結合可能な駆動軸（１０５）、および
駆動軸（１０５）上に相対回動不能に配置されたタービンホィール（１１０）、
を有し、前記タービンホィールが、前記端部領域内に形成されたタービンチャンバ（１２０）内に配置されており、
入口開口部（１２２）において前記タービンチャンバ内へタービンホィール（１１０）を駆動するための流れる圧力手段用の供給導管が連通しており、かつ
出口開口部（１２４）において前記タービンチャンバから排出導管が延びている、
医療用、特に歯科医療用のタービンハンドピース（１００）において、
タービンチャンバ（１２０）の壁内に、圧力手段のための少なくとも１つの横接続通路（１６０）が形成されており、前記横接続通路がタービンチャンバ（１２０）の軸から遠い端縁領域をタービンチャンバ（１２０）の、駆動軸（１０５）に対して軸に近い領域と接続することを特徴とする医療用、特に歯科医療用のタービンハンドピース。
【請求項２】
横接続通路（１６０）が、タービンチャンバ（１２０）から分離されて、タービンチャンバ（１２０）の壁を通って延びていることを特徴とする請求項１に記載の医療用のタービンハンドピース。
【請求項３】
タービンチャンバ（１２０）の壁領域が、幾つかに分かれて形成されており、かつ横接続通路（１６０）が少なくとも部分的に、タービンホィール（１１０）のためのホルダ部材（１３０）の壁部分内に配置されており、その場合に好ましくはホルダ部材（１３０）が、医療用流体を放出するためのスプレイ部材として形成されていることを特徴とする請求項１または２に記載の医療用のタービンハンドピース。
【請求項４】
横接続通路（１６０）が、圧力手段のための入口開口部（１６４）と出口開口部（１６５）を有していることを特徴とする請求項１から３のいずれか１項に記載の医療用のタービンハンドピース。
【請求項５】
ハンドピース（１００）の前方の端部領域内に回転可能に軸承された、工具と結合可能な駆動軸（１０５）、および
駆動軸（１０５）上に相対回動不能に配置されたタービンホィール（１１０）、
を有し、前記タービンホィールが、前記端部領域内に形成されたタービンチャンバ（１２０）内に配置されており、
入口開口部（１２２）において前記タービンチャンバ内へ、タービンホィール（１１０）を駆動するための流れる圧力手段用の供給導管が連通しており、かつ
出口開口部（１２４）において前記タービンチャンバから排出導管が延びている、
医療用、特に歯科医療用のタービンハンドピース（１００）において、
タービンホィール（１１０）が、駆動軸（１０５）に関して軸から遠い領域から軸に近い領域まで閉鎖面によって圧力手段密に限定されており、かつタービンチャンバ（１２０）の壁と閉鎖面との間に横接続通路（１６０）が形成されており、
前記横接続通路がタービンチャンバ（１２０）の軸から遠い端縁領域を、タービンチャンバ（１２０）の軸に近い領域と接続する、
ことを特徴とする医療用のタービンハンドピース。
【請求項６】
横接続通路（１６０）の壁領域が、互いに対して平行な面によって実質的に平坦に形成されており、その場合に横接続通路（１６０）の壁領域内に好ましくは複数の同種の突出部ないし凹部（１６１ａ）が配置されていることを特徴とする請求項１から５のいずれか１項に記載の医療用のタービンハンドピース。
【請求項７】
タービンチャンバ（１２０）の周面にわたって分配して複数の横接続通路（１６０）が形成されていることを特徴とする請求項１から６のいずれか１項に記載の医療用のタービンハンドピース。
【発明の詳細な説明】
【技術分野】
【０００１】
本発明は、回転する医療用工具を駆動するための医療用ハンドピースに関するものであって、その場合に工具が駆動軸と結合可能であり、その駆動軸は、ハンドピース内に配置されたタービンによって圧力手段を用いて駆動される。圧力手段は、好ましくは圧縮空気である。
【背景技術】
【０００２】
この種のタービンハンドピースにおいて、タービンホィールは、実質的に丸いタービンチャンバ内に回転自在に軸承されている。圧力手段は、ハンドピース内に長手方向に延びる供給導管を通して供給され、タービンチャンバ内の入口開口部を通してタービンホィール上へ流れ、タービンホィールを回転させて、出口開口部とそれに連続する排出導管を通ってタービンチャンバを出て行く。タービンの駆動は、供給導管内の弁を閉鎖することによって遮断される。ハンドピースは極めて高い回転数で駆動されるので、タービンは、圧力手段供給が遮断された後も、まだかなりの時間回転し続け、その場合に圧力手段をタービンチャンバから排出導管内へ押し出し、従ってポンプとして作用する。その場合にタービンチャンバ内に生じる負圧は、特に医療用工具のためのホルダの領域内ないしタービンホィールの軸受の領域内のエアギャップ内に吸引作用をもたらす。これは、望ましくない。というのは、ハンドピースの領域内へ病原体が吸い込まれることがあり、それが不十分な殺菌しか可能にせず、あるいは最悪の場合には、通常の殺菌措置では達成できないからである。
【発明の概要】
【発明が解決しようとする課題】
【０００３】
特に、吸引作用は優先してタービンホィールの軸に近い領域内で発生し、軸から離れた端縁領域内には過圧が発生するので、駆動軸の領域ないし付属の軸受領域が、病原菌によって汚染されることが、明らかにされた。従って本発明の課題は、外部空気の取入れを最小限に抑える対策を提供することである。
【課題を解決するための手段】
【０００４】
この課題は、独立請求項１と５の特徴を用いて解決される。展開が、従属請求項の対象である。
【発明の効果】
【０００５】
本発明によれば、ハンドピースの前方の端部領域内に回転可能に軸承された、工具と結合可能な駆動軸および駆動軸上に相対回動不能に配置されたタービンホィールを有する医療用、特に歯科医療用のタービンハンドピースが設けられており、そのタービンホィールが、端部領域内に形成されたタービンチャンバ内に配置されており、そのタービンチャンバ内へ入口開口部において、タービンホィールを駆動するための流れる圧力媒体のための供給導管が連通しており、かつタービンチャンバから出口開口部において排出導管が延びており、その場合にタービンチャンバの壁内に圧力手段のための少なくとも１つの横接続通路が形成されており、その横接続通路がタービンチャンバの端縁領域をタービンチャンバの駆動軸に対して軸に近い領域と接続する。
【０００６】
従って本発明は、タービンチャンバの、タービンホィールまたは工具の駆動軸ないし回転軸に対して軸に近い領域内の圧力状況を、軸から遠い領域の圧力状況に同化させ、その場合にタービンチャンバ内への外部空気の侵入を阻止する、という考えに基づいている。これは、好ましくは短い、すなわち実質的にタービンチャンバの壁部分に従う接続通路によって実現され、その接続通路が上述した２つの領域の間で圧力交換を可能にする。
【０００７】
本発明の展開において、横接続通路はタービンチャンバから分離されて、タービンチャンバの壁を通って延びている。
【０００８】
これは特に、接続ルートの延長をもたらし、それによって迅速な空気交換を阻止することになる、タービンチャンバの壁部分において有意義であり得る。
【０００９】
好ましくは、タービンチャンバの壁部分は、幾つかに分けて形成されている。たとえばタービンハンドピースのハウジングがタービンチャンバの１つの壁部分とタービンホィールないし駆動軸のためのホルダ部材も形成し、その場合にホルダ部材は、好ましくはハウジングと圧力手段密に結合可能に形成されている。この場合において、横接続通路は、少なくとも部分的に、タービンホィールないし然るべき軸受手段を有する駆動軸のためのホルダ部材の壁部分内に配置されている。
【００１０】
本発明の展開において、ホルダ部材は、医療用流体を放出するためのスプレイ部材として形成されている。
【００１１】
従ってタービンハンドピースの形成と組立において、空気ガイドと圧力補償を改良する可能性を著しく増大させる、種々の利点が生じる。たとえば、同時に駆動軸のためのホルダ部材として形成されている、スプレイ部材に１つまたは複数の横接続通路を設けることが可能であるので、駆動軸ないしタービンホィールのホルダ領域は、タービンチャンバないしタービンホィールの軸から遠い端縁領域からの圧力手段と迅速に連通することができる。特に、適切な軸受手段を有する駆動軸の領域は殺菌が困難であることが明らかであり、従ってこの領域内への外部空気ないし血清の侵入を阻止することが、特に効果的である。
【００１２】
特に好ましくは、横接続通路は圧力手段のための入口開口部と出口開口部を有しており、その場合にたとえば開口部の横断面は、横接続通路の長さよりも小さくすることができる。従って、横接続通路内の圧力手段の案内を好ましくは層状の流れとして形成する可能性が生じ、それが上述した２つの領域間の迅速な圧力手段交換を可能にする。
【００１３】
本発明の他の視点は、ハンドピースの前方の端部領域内に回転可能に軸承された、工具と結合可能な駆動軸および駆動軸上に相対回動不能に配置されたタービンホィールを有する医療用、特に歯科医療用のタービンハンドピースに関するものであって、そのタービンホィールが、端部領域内に形成されたタービンチャンバ内に配置されており、そのタービンチャンバ内へ入口開口部において、タービンホィールを駆動するための流れる圧力媒体のための供給導管が連通しており、かつタービンチャンバから出口開口部において排出導管が延びており、その場合にタービンホィールは、タービンホィールの軸に近い領域から軸から遠い領域まで閉鎖面によって圧力手段密に限定され、かつタービンホィールの壁と閉鎖面との間に横接続通路が形成されており、その横接続通路がタービンチャンバの端縁領域を、タービンチャンバの駆動軸に対して軸に近い領域と接続する。
【００１４】
本発明の好ましい実施形態において、横接続通路の壁領域が互いに対して平行な面によって実質的に平坦に形成されているので、それによって層状の流れ挙動も促進することができる。これは、たとえばタービンホィールの閉鎖面によって実現することができ、その閉鎖面は、たとえばタービンハウジングの壁部分に実質的に平行に従う。それによってたとえば、環状通路の形式の横接続通路を実現することができる。
【００１５】
本発明の展開において、横接続通路の壁部分は、複数の同種の突出部ないし凹部を有している。
【００１６】
好ましくは、壁領域の平坦な領域の面寸法は、突出部ないし凹部の面寸法を上回る。
【００１７】
従って流れは、同様に方向付けることができ、かつ迅速な圧力補償を促進する。たとえば、好ましくは優先的広がりの共通の方向を有する突出部ないし凹部を用いて所定の方向への、たとえば突出部ないし凹部の優先的広がりに対して横方向の、圧力手段の循環を阻止し、あるいは抑圧することができるので、圧力手段循環の優先方向を得ることができる。たとえばこれは、その入口開口部が出口開口部よりも大きく形成されている、横接続通路のために有意義であり得る。特に好ましくは、突出部ないし凹部は、横接続通路の壁部分内に配置されており、横接続通路の対向する壁は、流れを横接続通路に対して最適に成形するために、平坦に形成されている。
【００１８】
上述したすべての実施形態および本発明の視点において、特に、タービンチャンバの軸に近い領域と軸から遠い領域の間の圧力差の補償が、軸に近い領域内への外部空気の侵入よりも迅速に行なわれると、有益である。さらに強調すべきことは、横接続通路は常に、入口開口部と出口開口部の接続の他に形成された、タービンチャンバの軸に近い領域と軸から遠い領域の付加的な接続であって、その場合に入口開口部と出口開口部の接続は、タービンホィール自体内の空気ガイドによって実現することもできる。
【００１９】
以下、添付図面を用いて本発明を詳細に説明し、その場合にすべての表示において同一の部材には、同一の参照符号が設けられている。
【図面の簡単な説明】
【００２０】
【図１】本発明に基づくタービンハンドピースの実施例を示している。
【図２】図２と２ａは、タービンハンドピース内の圧力手段循環の詳細を示している。
【図３】本発明に基づくタービンハンドピースの他の実施例を示している。
【図４】タービンホィールのための保持部材の詳細を示している。
【図５】保持部材の他の実施例の詳細を示している。
【図６】タービンハンドピースの実施例内の、図５に示す保持部材の配置を示している。
【図７】図６に示す保持部材の配置の詳細を示している。
【発明を実施するための形態】
【００２１】
医療用機器の使用において、それらを衛生的に完璧な状態に保持できることが、不可欠である。回転する医療用工具を駆動するための医療用、特に歯科医療用のハンドピースにおいて、これは特に困難である。
【００２２】
これらハンドピースは、たとえば駆動部材ないしその収容部とホルダによって形成される、関連する中空室の複雑な配置を有することが多い。しかしさらに、手入れ措置によってハンドピースのきちんとした機能性を保証するために、この収容部ないしホルダの部分への接近を形成することが、不可避である。特に、分当たり３００、０００と４５０、０００回転の間の工具回転を保証しなければならない、歯科医療用のハンドピースにおいては、ハンドピースのすべての中空室を媒体密ないし血清密に閉鎖することは、ほぼ排除されている。
【００２３】
特に歯科医両領域においては、いわゆるタービンハンドピースの使用は一般的であって、そのタービンハンドピースは、回転する工具を駆動するための、実質的に回転自在のタービンホィールをタービンチャンバ内に収容する。その場合にタービンホィールの駆動は、圧力手段を用いて行なわれる。圧力手段は、ハンドピース内に長手方向に延びる供給導管を通してタービンチャンバの入口開口部を介して供給され、タービンチャンバ内の入口開口部を通してタービンホィール上へ流れて、タービンホィールを回転させ、出口開口部とそれに連続する排出導管を介してタービンチャンバを出て行く。周囲圧力に対して増大された固有圧力を有する圧力手段を使用することのポジティブな副次効果は、中空室への外部空気または血清の侵入とそれに伴って病原体による中空室の汚染が効果的に阻止されることである。
【００２４】
タービンの駆動は、タービンの入口開口部への圧力手段供給を中断することによって停止させることができる；タービンホィールの質量慣性によって、タービンホィールは、圧力手段供給の中断後もかなりの期間にわたってさらに回転し、従って後回転するので、タービンは、特に医療用工具のためのホルダの領域の間隙内で、吸引作用を展開するので、外部の病原体の侵入の危険が、著しく増大している。
【００２５】
本発明は、そのためにここで対策を提供する。
【００２６】
図１は、いわゆるアングルハンドピースとしての、歯科医療用タービンハンドピース１００の実施例を示している。ハンドピースは、細長いグリップ領域を備えたハウジング１５０を有しており、そのグリップ領域は歯科医療用の工具の回転軸Ｒに対して傾斜している。強調すべきことは、本発明がアングルハンドピースに限定されないことである；たとえば医療用工具による処置箇所の接近性を高めることができる、他の実施形態も考えられる。ハンドピースの前端部領域内で、ハウジング１５０内に、工具の回転軸Ｒを中心に回転可能に軸承された駆動軸１０５が配置されており、医療用工具、たとえば孔あけ工具または研磨工具がその駆動軸と結合可能である。駆動軸１０５は、高性能転がり軸受ないし玉軸受１４０によってハウジング１５０に対して回転可能に軸承されており、その場合に転がり軸受ないし玉軸受１４０と従って間接的に駆動軸１０５も、保持部材１３０によってハウジングと結合されている。駆動軸１０５に、タービンホィール１１０が相対回動不能に結合されており、そのタービンホィールは、端部領域内に形成されたタービンチャンバ１２０内に配置されている。タービンホィール１１０とそれに伴ってタービンを駆動するための流れる圧力手段用の、図１では見えない入口開口部１２２が、タービンチャンバ１２０内へ開口しており、その圧力手段は、ハンドピースの後方の端部領域を通って延びる供給導管を介してタービンチャンバ１２０へ案内される。さらに、タービンチャンバは、出口開口部１２４を有しており、その出口開口部から、同様にハンドピースの後方の端部領域内に配置された、圧力手段のための排出導管が延びている。
【００２７】
図示されたすべての実施例において、圧力手段として圧縮空気が設けられているが、本発明は圧力手段としての圧縮空気に限定されるものではない。たとえば、他のガス、特に窒素、あるいはたとえば水のような、液状の圧力手段を設けることもできる；好ましくはこれは、たとえば特殊な工具が同時に冷却を必要とし、あるいはタービンの回転数制御を、たとえば圧力手段の粘性を用いて達成しようとする場合に、タービンハンドピースの適用場合にも依存する。
【００２８】
本発明によれば、タービンチャンバ１２０の壁内に、圧力手段のための少なくとも１つの横接続通路１６０が形成されており、その横接続通路がタービンチャンバ１２０の、回転軸Ｒに対して軸から遠い端縁領域をタービンチャンバ１２０の、回転軸Ｒないし駆動軸１０５に対して軸に近い領域と接続する。その場合に、「軸に近い」ないし「軸から遠い」という概念は、軸から遠い領域が、軸に近い領域よりも、回転軸Ｒないし駆動軸１０５から径方向にさらに離れて配置されていることを意味する。
【００２９】
特に、タービンホィール１１０の幾何学配置に従って、タービンの「後回転」の間、タービンホィール１１０の軸から遠い端縁領域内には圧力手段の過圧が生じ、軸に近い領域内には負圧が形成されることが、明らかにされている。本発明は、この圧力差を、それが異媒体の吸引をもたらす前に、迅速に補償するという考えに基づいており、特に軸から遠い領域を軸に近い領域と好ましくは最短のルートで接続しようとしている。以下で明らかになるように、圧力補償を促進する、さらに他のないしは付加的な措置も考えられる。
【００３０】
図示の実施例において、たとえば外部空気が駆動軸１０５ないし転がり軸受または玉軸受１４０とハウジング１５０の間の間隙を介して吸い込まれ、たとえば転がり軸受１４０内へ侵入し、その転がり軸受は、駆動軸１０５を回転軸Ｒを中心に回転可能に軸承し、かつ広範な措置なしでは殺菌のために条件付きでしか接近できない。
【００３１】
その場合に、タービンチャンバ１２０の壁領域は、タービンホィール１１０の周形状に実質的に従い、従って実質的に円筒状に形成されており、その場合に工具の回転軸Ｒないし駆動軸１０５は、タービンホィール１１０ないしタービンチャンバ１２０の円筒状の周形状の長手軸と一致する。タービンチャンバ１２０は、横接続通路１６０を有しており、その横接続通路は、実質的に径方向に方向付けされており、タービンチャンバの壁内でたとえばスリットの形状で案内されている。
【００３２】
図２と２ａは、これを、図１の実施例を修正して示している。その場合に横接続通路１６０ないしスリットは、入口開口部１６４と出口開口部１６５を有している。この場合において、入口開口部ないし出口開口部１６４ないし１６５の直径は、スリットの長さないし軸から遠い領域と軸に近い領域の間の径方向の距離よりも小さい。その場合に、横接続通路１６０とタービンチャンバ１２０の間の、横通路１６０の第１の壁領域１６２を実現する、比較的肉薄の分離ウェブを用いて、圧力手段がタービンチャンバ１２０内の圧力手段ガイドから、特にタービンチャンバ１２０内の圧力手段を出口開口部１２４へ供給する還流通路１７０から、分離されるので、横通路１６０内に自立した流れ状況を形成することができ、その場合にこれは、上述したスリットの幾何学的状況によっても支援される。
【００３３】
この場合において、軸から遠い領域と軸に近い領域の間の圧力差を補償するために層状の圧力手段流が生じると、特に効果的である。というのは、この場合においては、特に速い圧力手段流が可能だからである。これは、特に横接続通路１６０の第２の壁部分１６１が、第１の壁部分１６１に実質的に平行に従うことによって、支援することができる。第１と第２の壁部分１６２ないし１６１は、実質的に平坦に形成されているが、後に明らかにされるように、優先流れ方向を調節し、ないしは意図されない流れを阻止するために、壁部分１６１ないし１６２の構造化を設けると、有用な場合がある。本発明は、図１からも明らかなように、横通路１６０の平坦な、好ましくは平行の壁面を有する上述した場合に限定されるものではない。たとえば、横接続通路１６０は、丸い、あるいは長円形の横断面を有することもできるので、速い圧力手段流のための好ましい流れ技術的に効果的な状況を達成することができる。
【００３４】
図１、２および２ａに示唆されるように、タービンチャンバ１２０の壁は、幾つかに分かれて実現されている。その場合に、実質的にタービンチャンバ１２０の円筒形状の周面を定める、タービンチャンバ１２０の第１の壁部分は、ハウジング１５０によって形成されている。その場合にタービンチャンバ１２０の天井面は、駆動軸１０５ないしタービンホィール１１０の転がり軸受ないし玉軸受１４０のためのホルダ部材１３０によって閉鎖されており、それが、特にタービンハンドピース１００の組立と形成において一連の利点をもたらすので、それによって圧力手段ガイドないし横接続通路の形成の効果的形状を実現することができる。
【００３５】
特に、横接続通路１６０は、少なくとも部分的に、駆動軸１０５ないしその軸受１４０のための１つまたは複数のホルダ部材１３０内で案内することができる。これは、たとえば図３の実施例において、再度明白に示されている。
【００３６】
図３に示すタービンハンドピースは、第１と第２のホルダ部材１３０を有しており、そのホルダ部材は、それぞれ円筒形状のタービンチャンバ１２０の天井側を閉鎖し、かつ軸受手段、特に転がり軸受または玉軸受を支持し、それがタービンホィール１１０ないし対応づけられた駆動軸１０５を回転可能に軸承する。その場合にホルダ部材１３０の外周面は、円錐台形状に近似しており、その場合に複数の横接続通路１６０の入口開口部１６４が、それぞれ円錐台の外側面に、ないしはホルダ部材１３０の外周に、たとえば回転軸Ｒに対して横方向ないし直交して、取り付けられている。
【００３７】
ホルダ部材１３０は、回転軸Ｒに対して平行ないし同心に配置された、軸受手段を収容するための１つまたは複数の孔を有している。その場合に横接続通路１６０の該当する出口開口部１６５が、前記孔と接続されており、ないしはその中へ開口している。これは、特に図４からも詳細に読み取れる。
【００３８】
図３の実施例に示されるタービンホィール１１０は、タービンチャンバ１２０内に、タービンホィール１１０と結合された、タービンホィール１２０のタービン羽根から隔たって配置されたリングフランジ１７１を用いて、圧力手段のためのリング形状の還流通路１７０を実現しており、従ってその圧力手段は、タービンの駆動中に出口開口部１２４へ供給することができる。
【００３９】
特に、横接続通路１６０は、還流通路１７０に対して自立して形成されているので、還流通路１７０内の流れ状況からの横接続通路１６０の独立を達成することができる。
【００４０】
横接続通路１６０の入口開口部１６４は、この場合において、横接続通路１６０の出口開口部１６５の該当する横断面積よりも大きい横断面積を有している。従って、横接続通路１６０の横断面をその長さにわたって連続的に適合させることにより、横接続通路１６０の推移を介して圧力手段の加速が生じる。その場合に入口開口部ないし出口開口部１６４ないし１６５の周ラインのほぼ線形の結合が、回転軸Ｒに対して径方向にほぼ台形の、横接続通路１６０の横断面を定めるので、横接続通路１６０の横断面積が、その推移の長さにわたって減少される。
【００４１】
さらに、実施例において、タービンチャンバ１２０の周面にわたって分配して複数の横接続通路１６０が形成されている。従って、特に独立した流れ条件を有する、複数の独立したルートが、軸に近い領域と軸から遠い領域を接続するのに寄与することができ、それらのルートは、タービンチャンバ１２０の端縁領域内の圧力状況が不均一である場合でも、圧力補償の最適化を達成する。特に図４に示すように、ホルダ部材１３０は、その外側面ないし外表面の周面にわたって複数の、この場合には３つの、入口開口部１６４を有しており、それらがそれぞれホルダ部材１３０内で別々に案内される横接続通路１６０と接続されている。横接続通路１６０の該当する出口開口部１６５が、駆動軸１０５ないしタービンホィール１１０のための軸受手段を収容するための共通の孔内へ連通している。
【００４２】
このコンセプトの展開と本発明の他の視点が、図５から７の実施例に示されている。図５は、ホルダ部材１３０を示しており、そのホルダ部材は同時に、タービンハンドピース１００から流体を流出させるためのスプレイ挿入片として形成されている。そのために、流体通路１９０がホルダ部材１３０内に設けられており、その流体通路は駆動中に、ハンドピース１００内に配置されている供給導管と接続されている。その場合にホルダ部材１３０は、流体通路を接続するための自立したシールを有している。従って同時に流体を工具の近傍へ案内することができ、タービンが後回転する場合に流体がタービンチャンバ１２０内へ吸い込まれる危険が、それと結びつくことはない。
【００４３】
さらに、ホルダ部材１３０は、タービンチャンバ１２０の実質的に平坦な壁面１６１を形成し、この場合においてその壁面は、ホルダ部材１３０の円形の底面によって実現される。
【００４４】
圧力手段の還流通路１７０から独立した横接続通路１６０は、この場合において、タービンホィール１１０の特殊な形成を用いて実現することができるので、ホルダ部材１３０ないしタービンチャンバ１２０の壁は、横接続通路１６０の壁部分１６１の１つのみを形成する。
【００４５】
特に図６と７の実施例に示されるように、タービンホィール１１０は、駆動軸１０５に関して軸に近い領域から軸から遠い端縁領域まで、閉鎖面によって圧力手段密に限定される。
【００４６】
この閉鎖面は、横接続通路１６０の他の壁部分１６２を形成するので、タービンチャンバ１２０の壁と閉鎖面との間に、横接続通路１６０が形成されており、その横接続通路がタービンチャンバ１２０の軸から遠い端縁領域をタービンチャンバ１２０の軸に近い領域と接続する。従って図示の実施例は、平坦な壁部分を有する他の環状通路を実現し、その環状通路は、還流通路１７０から分離された、独立した空気ガイドを可能にし、それによって迅速な圧力補償に寄与する。特に、閉鎖面は、その面の広がり全体にわたって、対向するタービンチャンバ１２０の壁部分に対して実質的に平行に延びており、その壁部分がリング形状の横接続通路１６０を完全なものにしている。
【００４７】
リング形状の横接続通路１６０の展開が、同様に図５から７に示されている。ホルダ部材１３０ないしタービンチャンバ１２０の壁の周面にわたって、好ましくは同様に分配されて、複数の同種の隆起部ないし凹部１６１ａを、タービンチャンバ１２０の平坦な、そしてこの例においては円環形状の壁面に形成することができる。その場合に隆起部ないし凹部１６１ａは、優先流れ方向を形成するために利用することができる。
【００４８】
上述した実施例のリング形状の横接続通路１６０の場合において、たとえば、回転軸Ｒを中心に回転して流れる多大な割合の圧力手段が考慮される。しかし、迅速な圧力補償のためには、圧力手段の好ましくは層状の、径方向の流れが望ましい。そのためにタービンチャンバ１２０の壁ないしホルダ部材１３０は、この場合においてリング形状の横接続通路１６０の径方向の長さ全体にわたって径方向に延びる凹部スリットを有しており、その凹部スリットが、たとえばローカルな渦センターを形成することによって、回転軸Ｒを中心に回転する圧力手段の流れ成分の形成を緩和し、ないしは阻止する。
【００４９】
上述した凹部スリットの他に、同じ箇所に、凹部スリットに対して逆に形成された、径方向に配置された隆起部を設けることができる。
【００５０】
各場合において、多数のほぼ独立した優先流れ方向を形成する、多数の隆起部ないし凹部１６１ａによって、同様にタービンチャンバ１２０の周面にわたって分配して多数の横接続通路１６０が定められ、それが独立した圧力補償を可能にする。
【００５１】
従って本発明を用いて、タービンチャンバ１２０の端縁領域と回転軸Ｒに対して軸に近い領域との間の圧力補償を迅速に実現する効果的な可能性が提供されるので、ハンドピースの開口部を通しての異媒体の吸込みを抑圧することができる。その場合に強調すべきことは、本発明のすべての実施例ないし視点の開示された特徴が互いに組み合わせることができることである。
【図１】
2014239990.tif 000003
【図２】
2014239990.tif 000004
【図３】
2014239990.tif 000005
【図４】
2014239990.tif 000006
【図５】
2014239990.tif 000007
【図６】
2014239990.tif 000008
【図７】
2014239990.tif 000009
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
歯科医療用のタービンハンドピースであって、
当該タービンハンドピースは、当該タービンハンドピースの前方の端部領域において回転可能に装着されている駆動軸を有し、
当該タービンハンドピースに工具が接続可能であり、
当該タービンハンドピースは、前記駆動軸に対して回転しないように配置されており、  当該タービンハンドピースは、当該ハンドピースの端部領域に形成されているタービンチャンバ内に配設されている、タービンホィールを有しており、
前記タービンチャンバ内に、前記タービンホィールを駆動するための圧力媒体を流す供給ラインが、当該タービンチャンバの入口開口部において開口しており、前記タービンチャンバからに圧力媒体を排出する除去ラインが当該タービンチャンバの出口開口部に延びている、
歯科医療用のタービンハンドピースにおいて、
前記タービンホィールが、前記タービンチャンバの軸から離れた端部領域に、前記タービンチャンバの軸に近い領域から延びるシーリング面を形成しており、
装着要素が、前記タービンチャンバの平坦な壁面を形成しており、
前記装着要素が、当該装着要素によって形成された前記タービンチャンバの壁と、前記タービンホィールの前記シール面との間に複数の接続通路を実現するための複数の突起または切り込みを有しており、
前記複数の接続通路は、前記タービンチャンバの前記タービンチャンバの軸から離れた端部領域を前記タービンチャンバの軸に近い前記タービンチャンバの領域に接続する、
ことを特徴とする、歯科医療用のタービンハンドピース。
【請求項２】
前記接続通路が、前記圧力媒体のための、入口開口部と出口開口部を有する、
ことを特徴とする、請求項１に記載の歯科医療用のタービンハンドピース。
【請求項３】
前記複数の接続通路が、前記タービンチャンバの周面にわたって分散して、形成されている、
ことを特徴とする、請求項１または２に記載の歯科医療用のタービンハンドピース。
【手続補正２】
【補正対象書類名】明細書
【補正対象項目名】全文
【補正方法】変更
【補正の内容】
【発明の詳細な説明】
【技術分野】
【０００１】
本発明は、回転する医療用工具を駆動するための医療用タービンハンドピースに関するものであって、当該医療用工具が駆動軸と結合可能であり、その駆動軸は、タービンハンドピース内に配置されたタービンによって、圧力媒体(pressure medium) を用いて駆動される。
圧力媒体は、好ましくは圧縮空気である。
【背景技術】
【０００２】
この種のタービンハンドピースにおいて、タービンホィールは、実質的に丸いタービンチャンバ内に回転自在に軸承（装着）されている。
圧力媒体は、タービンハンドピース内に長手方向に延びる供給導管（ライン）を通して供給され、タービンチャンバ内の入口開口部を通してタービンホィールに流れて、タービンホィールを回転させて、タービンチャンバの出口開口部とそれに連続する排出導管を通ってタービンチャンバを出て行く。
タービンの駆動は、供給導管内の弁を閉鎖することによって停止される。
タービンハンドピースは極めて高い回転数で駆動されるので、タービンは、圧力媒体の供給が遮断された後も、まだかなりの時間回転し続け、その場合に圧力媒体をタービンチャンバから排出導管内へ押し出し、その結果、ポンプとして作用する。
ここで、タービンチャンバ内に生じる負圧は、特に医療用工具のためのホルダの領域内またはタービンホィールの軸受の領域内のエアギャップ内に吸引作用をもたらす。このことは望ましくない。その理由は、タービンハンドピースの領域内へ病原体が吸い込まれることがあり、それが不十分な殺菌しか可能にせず、あるいは最悪の場合には、通常の殺菌措置では達成できないからである。
【発明の概要】
【発明が解決しようとする課題】
【０００３】
特に、吸引作用は優先してタービンホィールの軸に近い領域内で発生し、軸から離れた端縁領域内には過大な圧力が発生するので、駆動軸の領域または付属の軸受の領域が、病原菌によって汚染されることが、明らかにされた。
従って本発明の目的は、外部空気の取入れを最小限に抑える対策を講じた歯科医療用のタービンハンドピースを提供することにある。
【課題を解決するための手段】
【０００４】
この目的は、独立請求項１の特徴を用いて解決される。
さらなる展開が、従属請求項の目的である。
【発明の効果】
【０００５】
本発明によれば、歯科医療用のタービンハンドピース（１００）であって、
当該タービンハンドピースは、当該タービンハンドピース（１００）の前方の端部領域において回転可能に装着されている駆動軸（１０５）を有し、当該タービンハンドピースに工具が接続可能であり、当該タービンハンドピースは、前記駆動軸（１０５）に対して回転しないように配置されており、当該ハンドピースの端部領域に形成されているタービンチャンバ（１２０）内に配設されている、タービンホィール（１１０）を有しており、前記タービンチャンバ（１２０）内に、前記タービンホィール（１１０）を駆動するための圧力媒体を流す供給ラインが、当該タービンチャンバの入口開口（１２２）において開口しており、前記タービンチャンバからに圧力媒体を排出する除去ラインが当該タービンチャンバの出口開口（１２４）に延びている、
歯科医療用のタービンハンドピースにおいて、
前記タービンホィール（１１０）が、前記タービンチャンバの軸から離れた端部領域に、前記タービンチャンバの軸に近い領域から延びるシーリング面を形成しており、
装着要素（図１、図３、図５、ホルダ部材１３０）が、前記タービンチャンバ（１２０）の平坦な壁面（図２ａ、図５、１６１）を形成しており、
前記装着要素（１３０）が、当該装着要素（１３０）によって形成された前記タービンチャンバの壁と、前記タービンホィール（１１０）の前記シール面との間に複数の横方向の接続通路（１６０）を実現するための複数の突起または切り込みを有しており、
前記複数の接続通路（１６０）は、前記タービンチャンバ（１２０）の前記タービンチャンバの軸から離れた端部領域を、前記タービンチャンバの軸に近い前記タービンチャンバ（１２０）の領域に接続する、
ことを特徴とする、歯科医療用のタービンハンドピースが提供される。
本発明によれば、好ましくは、短い、すなわち実質的にタービンチャンバの壁部分に従う接続通路（チャネル）によって実現され、その接続通路が上述した２つの領域の間で圧力交換を可能にする。
【０００６】
本発明は、タービンチャンバの、タービンホィールの駆動軸または工具の回転軸に近い領域内の圧力状況を、タービンホィールの駆動軸または工具の回転軸から遠い領域の圧力状況に同化させ、タービンチャンバ内への外部空気の侵入を阻止する、という技術思想に基づいている。
これは、好ましくは、短い、すなわち実質的にタービンチャンバの壁部分に続く、駆動軸または工具の回転軸と直交する横方向の（クロス）接続通路（チャネル）によって実現され、その横方向の接続通路が上述した２つの領域の間で圧力交換を可能にする。
【０００７】
本発明の展開において、横方向の接続通路はタービンチャンバから分離されて、タービンチャンバの壁を通って延びている。
【０００８】
これは特に、接続ルートの延長をもたらし、それによって迅速な空気交換を阻止することになる、タービンチャンバの壁部分において有意義であり得る。
【０００９】
好ましくは、タービンチャンバの壁部分は、幾つかに分けて形成されている。たとえばタービンハンドピースのハウジングがタービンチャンバの１つの壁部分とタービンホィールまたは駆動軸のためのホルダ部材を形成し、当該ホルダ部材は、好ましくは、ハウジングに対して圧力媒体・気密・方法で、接続可能に実現されている。この場合において、横方向の接続通路（１６０）は、少なくとも部分的に、タービンホィールまたは対応する軸受手段を有する駆動軸のためのホルダ部材の壁の部分内に配置されている。
【００１０】
本発明の展開において、ホルダ部材は、医療用流体を放出するためのスプレイ部材として形成されている。
【００１１】
従って、タービンハンドピースの形成と組立において、空気ガイドと圧力補償を改良する可能性を著しく増大させる、種々の利点が生じる。
たとえば、同時に、駆動軸のためのホルダ部材（装着要素）として形成されている、スプレイ部材に１つまたは複数の横方向の接続通路を設けることが可能であるので、駆動軸またはタービンホィールのホルダ領域は、タービンチャンバまたはタービンホィールの軸から遠い（離れた）端縁領域からの圧力媒体と迅速に連通することができる。
特に、適切な軸受手段を有する駆動軸の領域は殺菌が困難であることが明らかであり、従って、この領域内への外部空気または血清の侵入を阻止することが、特に効果的である。
【００１２】
特に好ましくは、横方向の接続通路は圧力媒体のための入口開口部と出口開口部を有しており、たとえば、開口部の横断面は、横方向の接続通路の長さよりも小さくすることができる。
したがって、横方向の接続通路内の圧力媒体の案内を、好ましくは、層状の流れとして形成する可能性が生じ、それが上述した２つの領域間の迅速な圧力媒体の交換を可能にする。
【００１３】
他の観点は、ハンドピースの前方の端部領域内に回転可能に軸承（軸支、または、装着）された工具と結合可能な駆動軸および駆動軸に対して相対回動不能に配置されたタービンホィールを有する医療用タービンハンドピースに関するものであって、そのタービンホィールが、端部領域内に形成されたタービンチャンバ内に配置されており、そのタービンチャンバ内の入口開口部において、タービンホィールを駆動するための流れる圧力媒体のための供給導管が連通しており、かつ、タービンチャンバから出口開口部において排出導管が延びており、タービンホィールは、タービンホィールの軸に近い領域から軸から遠い（離れた）領域まで閉鎖（シール）面によって圧力媒体が気密にされるように規定されており、かつ、タービンホィールの壁と閉鎖面との間に横接続通路が形成されており、その横方向の接続通路がタービンチャンバの端縁領域を、タービンチャンバの駆動軸に対して軸に近い領域と接続する。
【００１４】
好ましい実施形態において、横方向の接続通路の壁領域が互いに対して平行な面によって実質的に平坦に形成されているので、それによって層状の流れ挙動も促進することができる。
これは、たとえば、タービンホィールの閉鎖（シール）面によって実現することができ、その閉鎖面は、たとえばタービンハウジングの壁部分に実質的に平行に続く。それによって、たとえば、環状通路の形式の横方向の接続通路を実現することができる。
【００１５】
他の展開において、横方向の接続通路の壁部分は、複数の同種の突出部または凹部（突起または切り込み（indentaion) ）を有している。
【００１６】
好ましくは、壁領域の平坦な領域の面寸法は、突出部または凹部（突起または切り込み）の面寸法を上回る。
【００１７】
従って、圧力媒体の流れは、同様に方向付けることができ、かつ迅速な圧力補償を促進する。
たとえば、好ましくは優先的広がりの共通の方向を有する突出部または凹部を用いて所定の方向への、たとえば、突出部または凹部の優先的広がりに対して横方向の、圧力媒体の循環を阻止し、あるいは抑圧することができるので、圧力媒体の循環の優先方向を得ることができる。たとえば、これは、その入口開口部が出口開口部よりも大きく形成されている、横方向の接続通路のために有意義であり得る。
特に好ましくは、突出部ないし凹部は、横方向の接続通路の壁部分内に配置されており、横方向の接続通路の対向する壁は、圧力媒体の流れを横方向の接続通路に対して最適に成形するために、平坦に形成されている。
上述した全ての実施形態および本発明の観点において、特に、タービンチャンバの軸（または、駆動軸または工具の回転軸）に近い領域とその軸から遠い（離れた）領域の間の圧力差の補償が、軸に近い領域内への外部空気の侵入よりも迅速に行なわれると、有益である。
さらに強調すべきことは、横方向の接続通路は常に、入口開口部と出口開口部の接続の他に形成された、タービンチャンバの軸に近い領域と軸から遠い（離れた）領域の付加的な接続であって、入口開口部と出口開口部の接続は、タービンホィール自体内の空気ガイドによって実現することもできる。
【００１８】
上述したすべての実施形態および本発明の観点において、特に、タービンチャンバの軸に近い領域と軸から遠い（離れた）領域の間の圧力差の補償が、軸に近い領域内への外部空気の侵入よりも迅速に行なわれると、有益である。
さらに強調すべきことは、横方向の接続通路は常に、入口開口部と出口開口部の接続の他に形成された、タービンチャンバの軸に近い領域と軸から遠い（離れた）領域の付加的な接続であって、入口開口部と出口開口部の接続は、タービンホィール自体内の空気ガイドによって実現することもできる。
【００１９】
以下、添付図面を参照して本発明の実施の形態を詳細に説明する。
ここで、全ての表示において同一の部材には同一の参照符号が設けられている。
【図面の簡単な説明】
【００２０】
【図１】本発明に基づくタービンハンドピースの実施例を示している。
【図２】図２と図２ａは、タービンハンドピース内の圧力媒体の循環の詳細を示している。
【図３】本発明に基づくタービンハンドピースの他の実施例を示している。
【図４】タービンホィールのための保持部材（装着要素）の詳細を示している。
【図５】保持部材の他の実施例の詳細を示している。
【図６】タービンハンドピースの実施例内の、図５に示す保持部材の配置を示している。
【図７】図６に示す保持部材の配置の詳細を示している。
【発明を実施するための形態】
【００２１】
医療用機器の使用において、それらを衛生的に完璧な状態に保持できることが、不可欠である。回転する医療用工具を駆動するための医療用、特に歯科医療用のハンドピースにおいて、これは特に困難である。
【００２２】
しばしば、これらハンドピースは、たとえば、駆動部材またはその収容部とホルダによって形成される、関連する中空室（内腔、キャビティ）の複雑な配置を有する。しかし、さらに、保守手段の結果として、ハンドピースの適正な機能性を保証するために、この収容部またはホルダの部分への接近を実現することが、不可避である。
特に、１分間当たり３００、０００回転と４５０、０００回転の間の工具の回転を保証しなければならない、歯科医療用のハンドピースにおいては、ハンドピースのすべての中空室（キャビティ）を媒体を気密ないし血清を気密に閉鎖することは、結果として、ほぼ疑義のないこととされている。
【００２３】
特に歯科医療分野においては、いわゆるタービンハンドピースの使用は一般的であって、そのタービンハンドピースは、回転する工具を駆動するための、実質的に回転自在のタービンホィールをタービンチャンバ内に収容する。ここで、タービンホィールの駆動は、圧力媒体を用いて行なわれる。
圧力媒体は、ハンドピース内に長手方向に延びる供給導管を通してタービンチャンバの入口開口部を介して供給され、タービンチャンバ内の入口開口部を通してタービンホィールに流れて、タービンホィールを回転させ、タービンチャンバから出口開口部とそれに連続する排出導管を介してタービンチャンバを出て行く。
周囲の圧力に対して増大された固有の圧力を有する圧力媒体を使用することのポジティブな副次的な効果は、中空室（キャビティ）への外部空気または血清の侵入とそれに伴って病原体による中空室（キャビティ）の汚染が効果的に阻止されることである。
【００２４】
タービンの駆動は、タービンチャンバの入口開口部への圧力媒体の供給を中断することによって停止させることができ、タービンホィールの慣性質量（イナーシャ）によって、タービンホィールは、圧力媒体の供給の中断後もかなりの期間にわたってさらに回転するので、タービンは、特に医療用工具のためのホルダの領域の間隙内で、吸引作用を展開するので、外部の病原体の侵入の危険が著しく増大している。
【００２５】
本発明は、そのためにここでその対策を提供する。
【００２６】
図１は、いわゆる、角度付き（angular)ハンドピースとしての、歯科医療用タービンハンドピース１００の実施の形態を示している。
ハンドピースは、細長いグリップ（把持）領域を備えたハウジング１５０を有しており、そのグリップ領域は歯科医療用の工具の回転軸Ｒに対して傾斜している。強調すべきことは、本発明が角度付きハンドピースに限定されないことである。たとえば、医療用工具による処置箇所の接近性を高めることができる、他の実施形態も考えられる。
ハンドピースの前端部領域内で、ハウジング１５０内に、工具の回転軸Ｒを中心に回転可能に軸承された（または、軸支、または、装着された）駆動軸（ドライブ・シャフト）１０５が配置されており、医療用工具、たとえば孔あけ工具または研磨工具がその駆動軸と結合可能である。
駆動軸１０５は、高性能な転がり軸受または玉軸受１４０によってハウジング１５０に対して回転可能に軸承されており、ここで、転がり軸受または玉軸受１４０と、それゆえ、間接的に、駆動軸１０５も、保持部材１３０によってハウジング１５０と結合されている。駆動軸１０５に、タービンホィール１１０が相対回動不能（相対的に回転しないように）結合されており、そのタービンホィール１１０は、端部領域内に形成されたタービンチャンバ１２０内に配置されている。
タービンホィール１１０とそれに伴ってタービンを駆動するために流れる圧力媒体用の、図１に図解した入口開口部１２２が、タービンチャンバ１２０内へ開口しており、その圧力媒体は、ハンドピースの後方の端部領域を通って延びる供給導管を介してタービンチャンバ１２０へ案内されている。
さらに、タービンチャンバは、図３に図解した出口開口部１２４を有しており、その出口開口部から、同様にハンドピースの後方の端部領域内に配置された、圧力媒体のための排出導管が延びている。
【００２７】
図示されたすべての実施の形態において、圧力媒体として圧縮空気が設けられているが、本発明は圧力媒体として例示した圧縮空気に限定されるものではない。たとえば、他のガス、特に窒素、あるいはたとえば水のような、液状の圧力媒体も提供することもできる。好ましくは、このことは、たとえば、特殊な工具が、冷却が要求される場合、あるいは、タービンが、たとえば、圧力媒体の粘性によって制御されるべきことが要求される場合、タービンハンドピースの用途に依存する。
【００２８】
本発明によれば、タービンチャンバ１２０の壁内に、圧力媒体のための少なくとも１つの、駆動軸１０５または工具の回転軸Ｒと直交する方向（向き）の横方向の（クロス）接続通路(cross connection channel)１６０が形成されており、その横接続通路１６０がタービンチャンバ１２０の、駆動軸１０５または工具の回転軸Ｒに対してその軸から遠い（離れた）端縁領域をタービンチャンバ１２０の、工具の回転軸Ｒまたは駆動軸１０５に対して軸に近い（接近した）領域と接続する。ここで、「軸に近い」または「軸から遠い（離れた）」という概念は、軸（駆動軸１０５または工具の回転軸Ｒ）から遠い（離れた）領域が、軸に近い領域よりも、回転軸Ｒないし駆動軸１０５から径方向にさらに離れて配置されていることを意味する。
【００２９】
特に、タービンホィール１１０の幾何学的配置に従って、タービンの「動作中( running -0n ) 」の間、タービンホィール１１０の軸（また、駆動軸１０５または工具の回転軸Ｒ）から遠い端縁領域内には圧力媒体の過大な圧力が生じ、タービンホィール１１０の軸に近い領域内には負圧が形成されることが、明らかにされている。
本発明は、この圧力差を、それが異なる媒体の吸引をもたらす前に、迅速に補償するという考えに基づいており、特に軸から遠い領域を軸に近い領域と、好ましくは、最短のルートで接続しようとしている。
以下で明らかになるように、圧力補償を促進する、さらに他のまたは付加的な措置も考えられる。
【００３０】
図示の実施の形態において、たとえば外部空気が駆動軸１０５、または、転がり軸受または玉軸受１４０とハウジング１５０の間の間隙を介して吸い込まれ、たとえば転がり軸受１４０内へ侵入し、その転がり軸受は、駆動軸１０５を工具の回転軸Ｒを中心に回転可能に軸承し（装着し）、かつ広範な処置なしでは殺菌のために条件付きでしか接近できない。
【００３１】
その場合に、タービンチャンバ１２０の壁領域は、タービンホィール１１０の周形状に実質的に従い、従って実質的に円筒状に形成されており、ここで、工具の回転軸Ｒまたは駆動軸１０５は、タービンホィール１１０またはタービンチャンバ１２０の円筒状の周形状の長手軸と一致する。
タービンチャンバ１２０は、横方向の横接続通路１６０を有しており、その接続通路１６０は、実質的に径方向に方向付けされており（指向しており）、タービンチャンバの壁内で、たとえば、スリットの形状で案内されている。
【００３２】
図２と図２ａは、これを、図１の実施の形態を修正して示している。その場合に、横接続通路１６０またはスリットは、入口開口部１６４と出口開口部１６５を有している。この場合において、入口開口部１６４または出口開口部１６５の直径は、スリットの長さまたはタービンチャンバの軸から遠い領域と軸に近い領域の間の径方向の距離よりも小さい。
その場合に、横方向の接続通路１６０とタービンチャンバ１２０の間の、横方向の接続通路１６０の第１の壁領域１６２を実現する、比較的肉薄の分離ウェブを用いて、圧力媒体がタービンチャンバ１２０内の圧力媒体ガイドから、特に、圧力媒体をタービンチャンバ１２０内の出口開口部１２４へ供給する還流通路１７０から分離されるので、横方向の接続通路１６０内に独立した流れの状態を形成することができ、その場合に、これは、上述したスリットの幾何学的状況によっても支援される。
【００３３】
この場合において、タービンチャンバの軸から遠い領域と軸に近い領域の間の圧力差を補償するために層状の圧力媒体の流れが生じると、特に効果的である。その理由は、この場合においては、特に速い圧力媒体の流れが可能だからである。
これは、特に横方向の接続通路１６０の第２の壁部分１６１が、第１の壁部分１６１に実質的に平行に従うことによって、支援することができる。
第１の壁部分１６２または第２の壁部分１６１は、実質的に平坦に形成されているが、後に明らかにされるように、優先する流れ方向を調節し、または、意図されない流れを阻止するために、第１または第２の壁部分１６１または１６２の構造化を設けると、有用な場合がある。
本発明は、図１からも明らかなように、横接続通路１６０の平坦な、好ましくは平行の壁面を有する上述した場合に限定されるものではない。たとえば、横接続通路１６０は、丸い、または、長円形の横断面を有することもできるので、速い圧力媒体の流れのための好ましい流れについて、技術的に効果的な状況を達成することができる。
【００３４】
図１、２および図２ａに図解されているように、タービンチャンバ１２０の壁は、幾つ
かに分かれて実現されている。その場合に、実質的にタービンチャンバ１２０の円筒形状の周面を定める、タービンチャンバ１２０の第１の壁部分は、ハウジング１５０によって形成されている。その場合にタービンチャンバ１２０の天井面は、駆動軸１０５またはタービンホィール１１０の転がり軸受または玉軸受１４０のためのホルダ部材１３０によって閉鎖されており、それが、特に、タービンハンドピース１００の組立と形成において一連の利点をもたらすので、それによって圧力媒体ガイドまたは横方向の接続通路の形成の効果的形状を実現することができる。
【００３５】
特に、横方向の接続通路１６０は、少なくとも部分的に、駆動軸１０５またはその軸受１４０のための１つまたは複数のホルダ部材１３０内で案内することができる。これは、たとえば図３に図解の実施の形態において、再度、明白に示されている。
【００３６】
図３に示すタービンハンドピースは、第１と第２のホルダ部材１３０を有しており、そのホルダ部材は、それぞれ円筒形状のタービンチャンバ１２０の天井側を閉鎖し、かつ軸受手段、特に転がり軸受または玉軸受を支持し、それがタービンホィール１１０または対応づけられた駆動軸１０５を回転可能に軸承する。その場合にホルダ部材１３０の外周面は、円錐台形状に近似しており、その場合に複数の横接続通路１６０の入口開口部１６４が、それぞれ円錐台の外側面に、またはホルダ部材１３０の外周に、たとえば、工具の回転軸Ｒに対して横方向または直交して、取り付けられている。
【００３７】
ホルダ部材１３０は、回転軸Ｒに対して平行または同心に配置された、軸受手段を収容するための１つまたは複数の孔を有している。その場合に横方向の接続通路１６０の該当する出口開口部１６５が、前記孔と接続されており、またはその中へ開口している。これは、特に図４の図解からも詳細に読み取れる。
【００３８】
図３の実施の形態に示されるタービンホィール１１０は、タービンチャンバ１２０内に、タービンホィール１１０と結合された、タービンホィール１２０のタービン羽根から隔たって配置されたリングフランジ１７１を用いて、圧力媒体のためのリング形状の還流通路１７０を実現しており、従ってその圧力媒体は、タービンの駆動中に出口開口部１２４へ供給することができる。
【００３９】
特に、横方向の接続通路１６０は、還流通路１７０に対して独立して形成されているので、還流通路１７０内の流れ状態からの横接続通路１６０の独立性を達成することができる。
【００４０】
横方向の接続通路１６０の入口開口部１６４は、この場合において、横方向の接続通路１６０の出口開口部１６５の対応する断面積よりも大きい断面積を有している。その結果、その長さにわたって連続的に適合されている横方向の接続通路１６０の断面によって、横方向の接続通路１６０の推移にわたって圧力媒体の加速が生じる。その場合に入口開口部１６４または出口開口部１６５の周縁ラインのほぼ線形の結合が、工具の回転軸Ｒに対して径方向にほぼ台形の、横方向の接続通路１６０の横断面を確立するので、横方向の接続通路１６０の断面積が、その推移の長さにわたって減少する。
【００４１】
さらに、この実施の形態において、タービンチャンバ１２０の円周にわたって分布して、複数の横接続通路１６０が実現されている。従って、特に独立した流れ条件を有する、複数の独立したルートが、タービンチャンバの軸に近い領域と軸から遠い領域を接続するのに寄与することができ、それらのルートは、タービンチャンバ１２０の端縁領域内の圧力状況が不均一である場合でも、圧力補償の最適化を達成する。
特に図４に示すように、ホルダ部材１３０は、その外側面または外表面の周面にわたって複数の、この場合には、３つの、入口開口部１６４を有しており、それらがそれぞれホルダ部材１３０内で別々に案内される横方向の接続通路１６０と接続されている。横方向の接続通路１６０の対応する出口開口部１６５が、駆動軸１０５またはタービンホィール１１０のための軸受手段を収容するための共通の孔内へ連通している。
【００４２】
この概念の展開と本発明の他の観点が、図５から７の実施の形態に示されている。
図５は、ホルダ部材１３０を示しており、そのホルダ部材は同時に、タービンハンドピース１００から流体を流出させるためのスプレイ挿入片として形成されている。そのために、流体通路１９０がホルダ部材１３０内に設けられており、その流体通路は駆動中に、ハンドピース１００内に配置されている供給導管と接続されている。その場合に、ホルダ部材１３０は、流体通路を接続するための独立したシールを有している。従って同時に流体を工具の近傍へ案内することができ、タービンが回転する場合でも流体がタービンチャンバ１２０内へ吸い込まれる危険性がない。
【００４３】
さらに、ホルダ部材１３０は、タービンチャンバ１２０の実質的に平坦な壁面１６１を形成し、この場合において、その壁面は、ホルダ部材１３０の円形の底面によって実現される。
【００４４】
圧力媒体の還流通路１７０から独立した横方向の接続通路１６０は、この場合において、タービンホィール１１０の特殊な設計により実現することができるので、ホルダ部材１３０またはタービンチャンバ１２０の壁は、横方向の接続通路１６０の壁部分１６１の１つのみを形成する。
【００４５】
特に、図６と７の実施の形態に示されるように、タービンホィール１１０は、駆動軸１０５に関して軸に近い領域から軸から遠い端縁領域まで、圧力媒体に対して気密にされるように閉鎖（シール）面（気密面）によって、規定される。
【００４６】
この気密面は、横方向の接続通路１６０の他の壁部分１６２を形成するので、タービンチャンバ１２０の壁と閉鎖面（気密面）との間に、横方向の接続通路１６０が形成されており、その横方向の接続通路がタービンチャンバ１２０の軸から遠い端縁領域をタービンチャンバ１２０の軸に近い領域と接続する。
従って、図示の実施の形態は、平坦な壁部分を有する他の環状通路を実現し、その環状通路は、還流通路１７０から分離された、独立した空気ガイドを可能にし、それによって迅速な圧力補償に寄与する。
特に、閉鎖面（気密面）は、その面の広がり全体にわたって、対向するタービンチャンバ１２０の壁部分に対して実質的に平行に延びており、その壁部分がリング形状の横方向の接続通路１６０を完全なものにしている。
【００４７】
リング形状の横方向の接続通路１６０の他の展開が、同様に図５から図７に示されている。
ホルダ部材１３０またはタービンチャンバ１２０の壁の周面にわたって、好ましくは同様に分配されて、複数の同種の隆起部または凹部（突起または切り込み（indentaion) ）１６１ａを、タービンチャンバ１２０の平坦な、そしてこの例においては円環形状の壁面に形成することができる。その場合に隆起部または凹部１６１ａは、優先して流れ方向を形成するために利用することができる。
【００４８】
上述した実施の形態のリング形状の横方向の接続通路１６０の場合において、たとえば、工具の回転軸Ｒを中心に回転して流れる多大な割合の圧力媒体が考慮される。しかし、迅速な圧力補償のためには、圧力媒体の好ましくは層状の、径方向の流れが望ましい。そのためにタービンチャンバ１２０の壁またはホルダ部材１３０は、この場合においてリング形状の横方向の接続通路１６０の径方向の長さ全体にわたって径方向に延びる凹部スリットを有しており、その凹部スリットが、たとえばローカルな（局部的な）渦センターを形成することによって、工具の回転軸Ｒを中心に回転する圧力媒体の流れ成分の形成を緩和し、ないしは、阻止する。
【００４９】
上述した凹部スリットの他に、同じ箇所に、凹部スリットに対して逆に形成された、径方向に配置された隆起部（突起）を設けることができる。
【００５０】
各場合において、多数のほぼ独立した優先的な流れ方向を形成する、多数の隆起部または凹部１６１ａによって、同様にタービンチャンバ１２０の周面にわたって分布する多数の横方向の接続通路１６０が定められ、それが独立した圧力補償を可能にする。
【００５１】
従って、本発明によって、タービンチャンバ１２０の端縁領域と工具の回転軸Ｒに対してタービンチャンバの軸に近い領域との間の圧力補償を迅速に実現する効果的な可能性が提供されるので、ハンドピースの開口部を通しての異なる媒体の吸込みを抑制することができる。
その場合に強調すべきことは、本発明の全ての実施の形態ないし本発明の全ての観点の開示された特徴が互いに組み合わせることができることである。
【符号の説明】
【００５２】
１００…歯科医療用タービンハンドピース
１０５…駆動軸
Ｒ…工具の回転軸
１１０…タービンホィール
１２０…タービンチャンバ
１２２…タービンチャンバの入口開口部
１２４…タービンチャンバの出口開口部
１３０…第１、第２のホルダ部材（装着要素）
１４０…玉軸受（ボールベアリグ）
１５０…ハウジング
１６０…横方向の（クロス）接続通路（チャネル）
１６１…平坦な壁面
１６１ａ…隆起部（突起）または凹部（刻み）
１６２…他の壁部分（第１の壁領域）
１６４…接続通路（チャネル）の入口開口部
１６５…接続通路（チャネル）の出口開口部
１７０…還流通路
１７１…リングフランジ
１９０…流体通路（チャネル）